【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
複数行および複数列に渡って配され、各々が入射光に基づく光電変換信号を出力する複数の画素と、
第１ビットの信号を含む複数ビットのカウント信号を出力するカウンタと、
前記複数列の各々に各々が対応して設けられ、各々が前記カウント信号を用いて前記光電変換信号を複数ビットのデジタル信号に変換する複数のＡＤ変換部とを有する撮像装置であって、
前記複数のＡＤ変換部の各々は、前記デジタル信号を保持するメモリ部を有し、
前記メモリ部は、第１ビットメモリと第２ビットメモリとを有し、
さらに前記撮像装置は、
前記複数のＡＤ変換部の各々の前記第１ビットメモリに接続された第１データ線と、
前記複数のＡＤ変換部の各々の前記第２ビットメモリに接続された第２データ線と、
前記複数のＡＤ変換部の各々の前記メモリ部に前記第１ビットの信号を出力するデータ線として、前記第１データ線と前記第２データ線の一方を選択する選択部とを有することを特徴とする撮像装置。
【請求項２】
前記複数のＡＤ変換部の各々の前記メモリ部は、各々が前記デジタル信号の１ビットの信号を保持する複数のビットメモリを有し、前記デジタル信号の所定のビットの信号を保持する冗長ビットメモリを前記複数のビットメモリの一部として有し、
前記第１ビットメモリが前記冗長ビットメモリであり、前記第２ビットメモリが前記複数のビットメモリの他の一部のメモリであることを特徴とする請求項１に記載の撮像装置。
【請求項３】
前記第１ビットは、最上位ビットよりも下位のビットであって、
前記選択部は、
前記複数のＡＤ変換部の各々の前記メモリ部に前記第１ビットの信号を出力するデータ線として前記第１データ線を選択し、前記第１ビットの１ビット上位の信号を出力するデータ線として前記第２データ線を選択する第１の動作と、
前記複数のＡＤ変換部の各々の前記メモリ部に前記第１ビットの信号を出力するデータ線として前記第２データ線を選択する第２の動作との一方を行うことを特徴とする請求項１に記載の撮像装置。
【請求項４】
前記第１ビットは、最下位ビットよりも上位のビットであって、
前記選択部は、
前記複数のＡＤ変換部の各々の前記メモリ部に前記第１ビットの信号を出力するデータ線として前記第１データ線を選択し、前記第１ビットの１ビット下位の信号を出力するデータ線として前記第２データ線を選択する第１の動作と、
前記複数のＡＤ変換部の各々の前記メモリ部に前記第１ビットの信号を出力するデータ線として前記第２データ線を選択する第２の動作との一方を行うことを特徴とする請求項１に記載の撮像装置。
【請求項５】
前記複数のＡＤ変換部の各々の前記メモリ部は、前記デジタル信号の所定のビットの信号を保持する冗長ビットメモリを前記複数のビットメモリの一部として有し、
前記複数のＡＤ変換部の各々の前記メモリ部は、前記第１ビットメモリと前記第２ビットメモリと前記複数のビットメモリの他の一部として有し、
前記第２の動作が、前記第１ビットの信号を、前記第２ビットメモリに保持させ、前記第１ビットの１ビット上位の信号を、前記冗長ビットメモリに保持させる動作であることを特徴とする請求項３に記載の撮像装置。
【請求項６】
前記複数のＡＤ変換部の各々の前記メモリ部は、前記デジタル信号の所定のビットの信号を保持する冗長ビットメモリを前記複数のビットメモリの一部として有し、
前記複数のＡＤ変換部の各々の前記メモリ部は、前記第１ビットメモリと前記第２ビットメモリと前記複数のビットメモリの他の一部として有し、
前記第２の動作が、前記第１ビットの信号を、前記第２ビットメモリに保持させ、前記第１ビットの１ビット下位の信号を、前記冗長ビットメモリに保持させる動作であることを特徴とする請求項４に記載の撮像装置。
【請求項７】
前記複数のＡＤ変換部の各々の前記メモリ部は、前記複数のビットメモリの一部として第１冗長ビットメモリと第２冗長ビットメモリとを有し、
前記第２ビットメモリが前記第１冗長ビットメモリであり、
前記選択部は、
前記複数のＡＤ変換部の各々の前記メモリ部に前記第１ビットの信号を出力するデータ線として前記第１データ線を選択し、前記複数のビットメモリに含まれる第３ビットメモリに前記カウント信号の第２ビットの信号を保持させる第１動作と、
前記複数のＡＤ変換部の各々の前記メモリ部に前記第１ビットの信号を出力するデータ線として前記第２データ線を選択し、前記第２冗長ビットメモリに前記第２ビットの信号を保持させる第２動作の一方を行うことを特徴とする請求項１に記載の撮像装置。
【請求項８】
前記撮像装置はさらに出力部を有し、
前記出力部は、前記第２の動作によって前記デジタル信号を保持した前記メモリ部が出力する前記デジタル信号の前記複数ビットの並びを、前記第１の動作によって前記デジタル信号を保持した場合に前記メモリ部が出力する前記デジタル信号の前記複数ビットの並びと一致するように並び替えることを特徴とする請求項３〜７のいずれか１項に記載の撮像装置。
【請求項９】
請求項１〜８のいずれか１項に記載の撮像装置と、前記撮像装置が出力する信号を処理することで画像を生成する信号処理部とを有することを特徴とする撮像システム。
【請求項１０】
複数行および複数列に渡って配され、各々が入射光に基づく光電変換信号を出力する複数の画素と、
カウンタと、
前記複数列の各々に各々が対応して設けられた複数のＡＤ変換部とを有し、
前記複数のＡＤ変換部の各々はメモリ部を有し、
前記メモリ部は、第１ビットメモリと第２ビットメモリとを有し、
さらに、
前記複数のＡＤ変換部の各々の前記第１ビットメモリに接続された第１データ線と、
前記複数のＡＤ変換部の各々の前記第２ビットメモリに接続された第２データ線とを有する撮像装置の駆動方法であって、
前記カウンタが第１ビットの信号を含む複数ビットのカウント信号を出力するステップと、
前記複数のＡＤ変換部の各々の前記メモリ部に前記第１ビットの信号を出力するデータ線として、前記第１データ線と前記第２データ線の一方を選択するステップと、
前記複数のＡＤ変換部の各々の前記メモリ部が、前記カウント信号を用いて前記光電変換信号をＡＤ変換することによって得られる、複数ビットのデジタル信号を保持するステップと
を有することを特徴とする撮像装置の駆動方法。
【請求項１１】
複数行および複数列に渡って配され、各々が入射光に基づく光電変換信号を出力する複数の画素と、
第１ビットの信号を含む複数ビットのカウント信号を出力するカウンタと、
前記複数列の各々に各々が対応して設けられ、各々が前記カウント信号を用いて前記光電変換信号を複数ビットのデジタル信号に変換する複数のＡＤ変換部とを有し、
前記複数のＡＤ変換部の各々は、前記デジタル信号を保持するメモリ部を有し、
前記メモリ部は、第１ビットメモリと第２ビットメモリとを有し、
さらに、
前記複数のＡＤ変換部の各々の前記第１ビットメモリに接続された第１データ線と、
前記複数のＡＤ変換部の各々の前記第２ビットメモリに接続された第２データ線とを有する撮像装置の検査方法であって、
前記複数のＡＤ変換部の各々の前記メモリ部に第１の信号を入力するステップと、
前記複数のＡＤ変換部の各々の前記メモリ部の各々が出力する信号と、前記第１の信号とを比較することによって、前記メモリ部の不良の検出を行うステップと、
前記検出の結果に基づいて、前記複数のＡＤ変換部の各々の前記メモリ部に前記第１ビットの信号を出力するデータ線として、前記第１データ線と前記第２データ線の一方を選択するステップと
を有することを特徴とする撮像装置の検査方法。
【手続補正２】
【補正対象書類名】明細書
【補正対象項目名】０００６
【補正方法】変更
【補正の内容】
【０００６】
本発明は上記の課題を鑑みて為されたものであり、一の態様は、複数行および複数列に渡って配され、各々が入射光に基づく光電変換信号を出力する複数の画素と、第１ビットの信号を含む複数ビットのカウント信号を出力するカウンタと、前記複数列の各々に各々が対応して設けられ、各々が前記カウント信号を用いて前記光電変換信号を複数ビットのデジタル信号に変換する複数のＡＤ変換部とを有する撮像装置であって、前記複数のＡＤ変換部の各々は、前記デジタル信号を保持するメモリ部を有し、前記メモリ部は、第１ビットメモリと第２ビットメモリとを有し、さらに前記撮像装置は、前記複数のＡＤ変換部の各々の前記第１ビットメモリに接続された第１データ線と、前記複数のＡＤ変換部の各々の前記第２ビットメモリに接続された第２データ線と、前記複数のＡＤ変換部の各々の前記メモリ部に前記第１ビットの信号を出力するデータ線として、前記第１データ線と前記第２データ線の一方を選択する選択部とを有することを特徴とする撮像装置である。
【手続補正３】
【補正対象書類名】明細書
【補正対象項目名】０００７
【補正方法】変更
【補正の内容】
【０００７】
また、別の態様は、複数行および複数列に渡って配され、各々が入射光に基づく光電変換信号を出力する複数の画素と、カウンタと、前記複数列の各々に各々が対応して設けられた複数のＡＤ変換部とを有し、前記複数のＡＤ変換部の各々はメモリ部を有し、前記メモリ部は、第１ビットメモリと第２ビットメモリとを有し、さらに、前記複数のＡＤ変換部の各々の前記第１ビットメモリに接続された第１データ線と、前記複数のＡＤ変換部の各々の前記第２ビットメモリに接続された第２データ線とを有する撮像装置の駆動方法であって、前記カウンタが第１ビットの信号を含む複数ビットのカウント信号を出力するステップと、前記複数のＡＤ変換部の各々の前記メモリ部に前記第１ビットの信号を出力するデータ線として、前記第１データ線と前記第２データ線の一方を選択するステップと、前記複数のＡＤ変換部の各々の前記メモリ部が、前記カウント信号を用いて前記光電変換信号をＡＤ変換することによって得られる、複数ビットのデジタル信号を保持するステップとを有することを特徴とする撮像装置の駆動方法である。
【手続補正４】
【補正対象書類名】明細書
【補正対象項目名】０００８
【補正方法】変更
【補正の内容】
【０００８】
また、別の態様は、複数行および複数列に渡って配され、各々が入射光に基づく光電変換信号を出力する複数の画素と、第１ビットの信号を含む複数ビットのカウント信号を出力するカウンタと、前記複数列の各々に各々が対応して設けられ、各々が前記カウント信号を用いて前記光電変換信号を複数ビットのデジタル信号に変換する複数のＡＤ変換部とを有し、前記複数のＡＤ変換部の各々は、前記デジタル信号を保持するメモリ部を有し、前記メモリ部は、第１ビットメモリと第２ビットメモリとを有し、さらに、前記複数のＡＤ変換部の各々の前記第１ビットメモリに接続された第１データ線と、前記複数のＡＤ変換部の各々の前記第２ビットメモリに接続された第２データ線とを有する撮像装置の検査方法であって、前記複数のＡＤ変換部の各々の前記メモリ部に第１の信号を入力するステップと、前記複数のＡＤ変換部の各々の前記メモリ部の各々が出力する信号と、前記第１の信号とを比較することによって、前記メモリ部の不良の検出を行うステップと、前記検出の結果に基づいて、前記複数のＡＤ変換部の各々の前記メモリ部に前記第１ビットの信号を出力するデータ線として、前記第１データ線と前記第２データ線の一方を選択するステップとを有することを特徴とする撮像装置の検査方法である。